【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
人の食事療法を栄養関連目標と整合させるためのシステムであって、前記システムは、
（１）前記人に関する栄養関連目標と、（２）定義された期間中に前記人によって以前に消費された栄養素の量を含む前記人に関する複数の栄養素の各々の量を表す第１の栄養プロファイルとを受信するように構成されている通信ポートと、
少なくとも１つのコンピュータプロセッサであって、前記少なくとも１つのコンピュータプロセッサは、
（ａ）前記栄養関連目標に基づいて、前記複数の栄養素の各々についての標的レベルを含む標的栄養プロファイルを生成することと、
（ｂ）前記複数の栄養素の各々に関する複数の逸脱を得るために、前記複数の栄養素の各々の前記人によって消費された量を前記栄養素についての前記標的レベルと比較することによって、前記複数の栄養素の各々に関する逸脱を算出することであって、
前記複数の栄養素の各栄養素について、前記栄養素の消費された量が前記標的レベルを下回る場合に前記栄養素の逸脱が不足逸脱であり、前記栄養素の消費された量が前記標的レベルを上回る場合に前記栄養素の逸脱が超過逸脱である、ことと、
（ｃ）各栄養素について、第１または第２の数値加重のうちの１つを関連付けることであって、（ｉ）前記栄養素の不足逸脱が存在する場合に前記第１の数値加重が前記栄養素に関連付けられ、（ｉｉ）前記栄養素の超過逸脱が存在する場合に前記第２の数値加重が前記栄養素に関連付けられる、ことと、
（ｄ）各栄養素について前記関連付けられた第１または第２の数値加重を前記栄養素に関する個別の逸脱に適用することによって、前記第１の栄養プロファイルと前記標的栄養プロファイルとの間の総合的整合を表す第１の栄養指数を算出することと、
（ｅ）候補食品における複数の候補栄養素の量を受信することであって、各候補栄養素は、前記複数の栄養素のうちの１つに対応する、ことと、
（ｆ）各候補栄養素についての合計された量を得るために、各候補栄養素について、ステップ（ｅ）における個別の候補栄養素の量および前記第１の栄養プロファイルにおける対応する栄養素の量を加算することによって、第２の栄養プロファイルを生成することと、
（ｇ）ステップ（ｆ）における前記第２の栄養プロファイルとステップ（ａ）における前記標的栄養プロファイルとの間の総合的整合を表す第２の栄養指数を、
（ｇ１）ステップ（ｆ）における個別の候補栄養素の合計された量を前記栄養素についての前記標的レベルと比較することによって、前記候補栄養素の各々に関する逸脱を算出することであって、
各候補栄養素について、前記候補栄養素の合計された量が前記標的レベルを下回る場合に前記候補栄養素の逸脱が不足逸脱であり、前記候補栄養素の合計された量が前記標的レベルを上回る場合に前記候補栄養素の逸脱が超過逸脱であり、
前記候補食品を含めることは、別の候補栄養素の逸脱を増加させるのと比較して少なくとも１つの候補栄養素の逸脱をより多く減少させる、こと、および、
（ｇ２）前記関連付けられた第１の数値加重をステップ（ｇ１）における各不足逸脱に適用し、前記関連付けられた第２の数値加重をステップ（ｇ１）における各超過逸脱に適用すること
によって、算出することと、
（ｈ）ステップ（ｄ）における前記第１の栄養指数をステップ（ｇ）における前記第２の栄養指数と比較することと、
（ｉ）前記第２の栄養指数が前記第１の栄養指数よりも標的指数に近い場合に推奨のために前記候補食品を選択することと
を行うように構成されている、少なくとも１つのコンピュータプロセッサと、
ユーザインターフェース上での表示のために、前記第１の栄養指数と、前記候補食品が推奨されるかを示すための前記候補食品の指数影響とを生成するように構成されている出力ポートと
を備える、システム。
【請求項２】
前記標的レベルは、下限および上限標的を含む、請求項１に記載のシステム。
【請求項３】
ステップ（ｂ）において、前記複数の栄養素の各々の前記人によって消費された量を前記標的レベルと比較することは、さらに、
前記消費された量を前記栄養素についての下限標的レベルおよび前記栄養素についての上限標的レベルの両方と比較することを含み、
前記複数の栄養素の各栄養素について、前記栄養素の消費された量が前記栄養素についての下限標的レベルを下回る場合に前記栄養素の逸脱が不足逸脱であり、前記栄養素の消費された量が前記栄養素についての上限標的レベルを上回る場合に前記栄養素の逸脱が超過逸脱であり、
ステップ（ｇ１）において、前記候補栄養素の各々に関する逸脱を算出することは、さらに、ステップ（ｆ）における個別の候補栄養素の合計された量を前記栄養素についての前記標的レベルについての下限および上限の両方と比較することを含む、請求項２に記載のシステム。
【請求項４】
前記標的指数は、栄養プロファイルと前記標的プロファイルとの間の完全な整合を表す、請求項１に記載のシステム。
【請求項５】
前記完全な整合は、前記栄養素の消費された量と対応する標的レベルとの間の最小逸脱を表す、請求項４に記載のシステム。
【請求項６】
前記候補食品が閾値に等しいまたは閾値よりも大きい前記第１の栄養指数に及ぼす指数影響を有するときに、前記候補食品が推奨される、請求項１に記載のシステム。
【請求項７】
前記通信ポートは、前記複数の候補栄養素のうちの１つの選択を前記ユーザインターフェースのユーザから受信するように構成されており、前記１つまたは複数のコンピュータプロセッサは、前記選択の受信に応答して、前記ユーザインターフェースデバイス上での表示のために、前記選択された候補栄養素の量を含む複数の関連食品を選択するように構成されている、請求項１に記載のシステム。
【請求項８】
前記少なくとも１つのコンピュータプロセッサは、
前記選択された候補栄養素に関する逸脱が不足を示すか超過を示すかを決定することと、
前記選択された候補栄養素が不足していることを決定したことに応答して、前記人によって以前に消費されていない複数の新しい食品から前記候補食品を選択することと、
前記選択された候補栄養素が超過していることを決定したことに応答して、複数の以前に消費された食品から前記候補食品を選択することと
を行うように構成されている、請求項５に記載のシステム。
【請求項９】
前記人によって以前に消費されていない前記複数の新しい食品における各新しい食品は、前記選択された候補栄養素の少なくとも閾値量を含み、
前記ユーザインターフェースデバイスは、各新しい食品における前記選択された標的栄養素の量によって少なくとも部分的に決定される順序で前記複数の新しい食品を表示するように構成されている、請求項８に記載のシステム。
【請求項１０】
前記少なくとも１つのコンピュータプロセッサは、数字、アルファベットグレード、前記栄養指数の範囲を示す色勾配から選択された色、またはグラフィカルアイコンとして前記栄養指数を提供するように構成されている、請求項１に記載のシステム。
【請求項１１】
前記第１および第２の数値加重は、前記人にとっての個別の標的栄養素の他の標的栄養素に対する重要性を示す、請求項１に記載のシステム。
【請求項１２】
前記第１および第２の数値加重は、第２の栄養素と比べた第１の栄養素の相対的重要性を示す、請求項１に記載のシステム。
【請求項１３】
前記逸脱は、パーセンテージベースの逸脱である、請求項１に記載のシステム。
【請求項１４】
前記指数影響は、前記第１の栄養指数と前記第２の栄養指数との間の差異である、請求項１に記載のシステム。
【請求項１５】
人の食事療法を栄養関連目標と整合させるためのシステムであって、前記システムは、
（１）前記人に関する栄養関連目標と、（２）定義された期間中に前記人によって以前に消費された栄養素の量を含む前記人に関する複数の栄養素の各々の量を表す第１の栄養プロファイルとを受信するように構成されている通信ポートと、
少なくとも１つのコンピュータプロセッサであって、前記少なくとも１つのコンピュータプロセッサは、
（ａ）前記栄養関連目標に基づいて、前記複数の栄養素の各々についての標的レベルを含む標的栄養プロファイルを生成することと、
（ｂ）前記複数の栄養素の各々に関する複数の逸脱を得るために、前記複数の栄養素の各々の前記人によって消費された量を前記栄養素についての前記標的レベルと比較することによって、前記複数の栄養素の各々に関する逸脱を算出することであって、
前記複数の栄養素の各栄養素について、前記栄養素の消費された量が前記標的レベルを下回る場合に前記栄養素の逸脱が不足逸脱であり、前記栄養素の消費された量が前記標的レベルを上回る場合に前記栄養素の逸脱が超過逸脱である、ことと、
（ｃ）各栄養素について、第１または第２の数値加重のうちの１つを関連付けることであって、（ｉ）前記栄養素の不足逸脱が存在する場合に前記第１の数値加重が前記栄養素に関連付けられ、（ｉｉ）前記栄養素の超過逸脱が存在する場合に前記第２の数値加重が前記栄養素に関連付けられる、ことと、
（ｄ）各栄養素について前記関連付けられた第１または第２の数値加重を前記栄養素に関する個別の逸脱に適用することによって、前記第１の栄養プロファイルと前記標的栄養プロファイルとの間の総合的整合を表す第１の栄養指数を算出することと、
（ｅ）候補食品における複数の候補栄養素の量を受信することであって、各候補栄養素は、前記複数の栄養素のうちの１つに対応する、ことと、
（ｆ）各候補栄養素についての合計された量を得るために、各候補栄養素について、ステップ（ｅ）における個別の候補栄養素の量および前記第１の栄養プロファイルにおける対応する栄養素の量を加算することによって、第２の栄養プロファイルを生成することと、
（ｇ）ステップ（ｆ）における前記第２の栄養プロファイルとステップ（ａ）における前記標的栄養プロファイルとの間の総合的整合を表す第２の栄養指数を、
（ｇ１）ステップ（ｆ）における個別の候補栄養素の合計された量を前記栄養素についての前記標的レベルと比較することによって、前記候補栄養素の各々に関する逸脱を算出することであって、
各候補栄養素について、前記候補栄養素の合計された量が前記標的レベルを下回る場合に前記候補栄養素の逸脱が不足逸脱であり、前記候補栄養素の合計された量が前記標的レベルを上回る場合に前記候補栄養素の逸脱が超過逸脱であり、
前記候補食品を含めることは、別の候補栄養素の逸脱を減少させるのと比較して少なくとも１つの候補栄養素の逸脱をより多く増加させる、こと、および、
（ｇ２）前記関連付けられた第１の数値加重をステップ（ｇ１）における各不足逸脱に適用し、前記関連付けられた第２の数値加重をステップ（ｇ１）における各超過逸脱に適用すること
によって、算出することと、
（ｈ）ステップ（ｄ）における前記第１の栄養指数をステップ（ｇ）における前記第２の栄養指数と比較することと、
（ｉ）前記第２の栄養指数が前記第１の栄養指数よりも標的指数に近い場合に推奨のために前記候補食品を選択することと
を行うように構成されている、少なくとも１つのコンピュータプロセッサと、
ユーザインターフェース上での表示のために、前記第１の栄養指数と、前記候補食品が推奨されるかを示すための前記候補食品の指数影響とを生成するように構成されている出力ポートと
を備える、システム。
【請求項１６】
前記標的レベルは、下限および上限標的を含む、請求項１５に記載のシステム。
【請求項１７】
ステップ（ｂ）において、前記複数の栄養素の各々の前記人によって消費された量を前記標的レベルと比較することは、さらに、
前記消費された量を前記栄養素についての下限標的レベルおよび前記栄養素についての上限標的レベルの両方と比較することを含み、
前記複数の栄養素の各栄養素について、前記栄養素の消費された量が前記栄養素についての下限標的レベルを下回る場合に前記栄養素の逸脱が不足逸脱であり、前記栄養素の消費された量が前記栄養素についての上限標的レベルを上回る場合に前記栄養素の逸脱が超過逸脱であり、
ステップ（ｇ１）において、前記候補栄養素の各々に関する逸脱を算出することは、さらに、ステップ（ｆ）における個別の候補栄養素の合計された量を前記栄養素についての前記標的レベルについての下限および上限の両方と比較することを含む、請求項１６に記載のシステム。
【請求項１８】
前記標的指数は、栄養プロファイルと前記標的プロファイルとの間の完全な整合を表す、請求項１５に記載のシステム。
【請求項１９】
前記完全な整合は、前記栄養素の消費された量と対応する標的レベルとの間の最小逸脱を表す、請求項１８に記載のシステム。
【請求項２０】
前記候補食品が閾値に等しいまたは閾値よりも大きい前記第１の栄養指数に及ぼす指数影響を有するときに、前記候補食品が推奨される、請求項１５に記載のシステム。
【請求項２１】
前記通信ポートは、前記複数の候補栄養素のうちの１つの選択を前記ユーザインターフェースのユーザから受信するように構成されており、前記１つまたは複数のコンピュータプロセッサは、前記選択の受信に応答して、前記ユーザインターフェースデバイス上での表示のために、前記選択された候補栄養素の量を含む複数の関連食品を選択するように構成されている、請求項１５に記載のシステム。
【請求項２２】
前記少なくとも１つのコンピュータプロセッサは、
前記選択された候補栄養素に関する逸脱が不足を示すか超過を示すかを決定することと、
前記選択された候補栄養素が不足していることを決定したことに応答して、前記人によって以前に消費されていない複数の新しい食品から前記候補食品を選択することと、
前記選択された候補栄養素が超過していることを決定したことに応答して、複数の以前に消費された食品から前記候補食品を選択することと
を行うように構成されている、請求項２１に記載のシステム。
【請求項２３】
前記人によって以前に消費されていない前記複数の新しい食品における各新しい食品は、前記選択された候補栄養素の少なくとも閾値量を含み、
前記ユーザインターフェースデバイスは、各新しい食品における前記選択された標的栄養素の量によって少なくとも部分的に決定される順序で前記複数の新しい食品を表示するように構成されている、請求項２２に記載のシステム。
【請求項２４】
前記少なくとも１つのコンピュータプロセッサは、数字、アルファベットグレード、前記栄養指数の範囲を示す色勾配から選択された色、またはグラフィカルアイコンとして前記栄養指数を提供するように構成されている、請求項１５に記載のシステム。
【請求項２５】
前記第１および第２の数値加重は、前記人にとっての個別の標的栄養素の他の標的栄養素に対する重要性を示す、請求項１５に記載のシステム。
【請求項２６】
前記第１および第２の数値加重は、第２の栄養素と比べた第１の栄養素の相対的重要性を示す、請求項１５に記載のシステム。
【請求項２７】
前記逸脱は、パーセンテージベースの逸脱である、請求項１５に記載のシステム。
【請求項２８】
前記指数影響は、前記第１の栄養指数と前記第２の栄養指数との間の差異である、請求項１５に記載のシステム。